Podtech/llm-jp-corpus-v4-ja_patent huggingface dataset:
(57)【特許請求の範囲】
【請求項１】
軌道のバラストを突き固める手持ち式タンパであって、
アンバランスウェイト（５）を回転させるための駆動モータ（２）と、該駆動モータ（２）と結合された、縦軸線（７）を有するシャフト（４）の下側端部に取り付けられた、縦断面でほぼＶ字形のシャフト先端部（８）と、を備える、手持ち式タンパにおいて、
前記シャフト先端部（８）に続く下側のシャフト区分（９）に、シャフト縦方向（１３）に延在する、シャフト横断面（１１）に関して互いに離れて、半径方向にシャフト表面（１４）から突出して前記シャフト先端部（８）に至るまで延長された複数のシャフトリブ（１０）が配置されており、
全ての前記シャフトリブ（１０）が、前記シャフト先端部（８）に設けられた共通のリブ先端部（１６）にまとめ合わされており、前記共通のリブ先端部（１６）は、尖った先端部を形成している、
ことを特徴とする、軌道のバラストを突き固める手持ち式タンパ。
【請求項２】
前記シャフトリブ（１０）は、前記シャフト横断面（１１）に関して均等な間隔を空けて相互に離れて位置する、請求項１記載の手持ち式タンパ。
【請求項３】
前記シャフト区分（９）に、全部で６個の前記シャフトリブ（１０）が設けられている、請求項１または２記載の手持ち式タンパ。
【請求項４】
前記シャフトリブ（１０）は、矩形のリブ横断面（１５）を有する、請求項１から３までのいずれか１項記載の手持ち式タンパ。
【発明の詳細な説明】
【技術分野】
【０００１】
本発明は、軌道のバラストを突き固める手持ち式タンパであって、アンバランスウェイトを回転させるための駆動モータと、駆動モータと結合された、縦軸線を有するシャフトの下側端部に取り付けられた、縦断面でほぼＶ字形のシャフト先端部とを備える、手持ち式タンパに関する。
【背景技術】
【０００２】
独国実用新案第２０２０１４００３６５５号明細書において、すでに、この種の、シャフト上にその縦方向に被せ嵌められたスリーブを有する手持ち式タンパが知られている。スリーブは、駆動モータから離れた側の端部にタンピングシャベルを有し、タンピングシャベルは、スリーブから突出する、互いに直径方向で反対の側に位置する２つのシャベル構成要素から成る。
【発明の概要】
【発明が解決しようとする課題】
【０００３】
そこで、本発明の課題は、改善された作業結果が実現可能となる、冒頭で述べた構成の手持ち式タンパを提供することにある。
【課題を解決するための手段】
【０００４】
この課題は、本発明によれば、冒頭で述べた構成の手持ち式タンパにおいて、独立請求項の特徴部に記載の構成によって解決される。
【０００５】
このように構成されたシャフト先端部は、アンバランスウェイトにより形成された振動を、シャフトリブを介して、突き固めされるべきバラストに極めて良好に伝達することができるという利点を提供する。本発明に係る構成は、特に汚れたバラスト道床に使用するとき、特に効率的で適切に最適な作業結果をもたらすことを証明している。
【０００６】
本発明のその他の利点は、従属請求項および図面に関する記述から明らかである。
【０００７】
以下、本発明を、図示された実施の形態に基づいて詳説する。
【図面の簡単な説明】
【０００８】
【図１】シャフト先端部を含むシャフトを有する手持ち式タンパの側面図である。
【図２】シャフトの横断面図である。
【図３】シャフト先端部の斜視図である。
【図４】シャフト先端部の代替的な態様を示す。
【発明を実施するための形態】
【０００９】
図１に示す、軌道下を突き固める手持ち式タンパ１は、駆動モータ２を有し、駆動モータ２は、ハンドグリップ３を備え、シャフト４と結合されている。シャフト４には、アンバランスウェイト５を有する軸６が支持されており、軸６は、駆動モータ２により回転させることが可能である。縦軸線７を有するシャフト４の、駆動モータ２から離れた側の下側端部には、シャフト上に被せ嵌められた、縦断面でほぼＶ字形であり、軌道のバラスト道床に突き入れるために設けられたシャフト先端部８が、ねじ結合部１２に基づいて取り付けられている。
【００１０】
図２および図３においても詳しく看取されるように、シャフト先端部８に続く下側のシャフト区分９に複数のシャフトリブ１０が配置されている。図示の好適な態様では、全部で６個のシャフトリブ１０が、シャフト横断面１１（図２）に関して均等な間隔を空けて相互に離して配置されており、縦軸線７に対して平行のシャフト縦方向１３に延在する。
【００１１】
半径方向にシャフト表面１４から突出するシャフトリブ１０は、図２において明確に看取されるように、矩形のリブ横断面１５を有する。その下側端部で、シャフトリブ１０は、シャフト先端部８に至るまで延長され、面取りされて構成されている。図４による代替的な態様では、シャフトリブ１０は、共通のリブ先端部１６に通じるようにまとめ合わされてよく、これにより、バラスト道床に手持ち式タンパ１を導入するときの突入れ抵抗が好適に低減される。
【図１】
0006611815.tif 000002
【図２】
0006611815.tif 000003
【図３】
0006611815.tif 000004
【図４】
0006611815.tif 000005